(57)【要約】【課題】プリント要求時にただちにプリントを実行することが可能なプリント処理装置およびそのウォームアップ処理方法を提供することを目的とする。【解決手段】入力指示部によりユーザから「普通紙プリント機能」の選択が入力された場合、制御部のトリガー検出手段は「普通紙プリント機能」の選択が入力されたことを検出し、プリント処理部に対して普通紙用フューザーのウォームアップ処理の開始を指示し、入力指示部によりユーザからプリント処理要求が入力されると、制御部はプリント処理部に対してプリント処理の開始を指示する。【選択図】図１
2006071756.tif 000002
【特許請求の範囲】
【請求項１】
受け付けた画像データのプリント処理を実施するプリント処理装置において、
第１の用紙、第２の用紙に対してトナーを定着する第１の定着器、第２の定着器と、
前記画像データをプリント処理する際に、前記第１の用紙のプリント処理であるか、前記第２の用紙のプリント処理であるかの判断情報を検出する判断情報検出手段と、
前記判断情報検出手段が検出した判断情報に基づき、前記第１の定着器または前記第２の定着器の少なくとも１つのウォームアップ処理を開始するウォームアップ処理手段と
を具備することを特徴とするプリント処理装置。
【請求項２】
前記第１の用紙のプリント処理は、
前記第１の定着器または前記第２の定着器の少なくとも１つを用いて前記第１の用紙に対してトナーを定着し、
前記第２の用紙のプリント処理は、
前記第１の定着器または前記第２の定着器の少なくとも１つを用いて前記第２の用紙に対してトナーを定着する
ことを特徴とする請求項１記載のプリント処理装置。
【請求項３】
前記第１の用紙のプリント処理の場合、前記第１の定着器は第１の温度で前記第１の用紙に対してトナーを定着し、
前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着する
ことを特徴とする請求項２記載のプリント処理装置。
【請求項４】
前記ウォームアップ処理手段は、
前記判断情報が前記第１の用紙のプリント処理を示す場合、前記第１の定着器を第１の温度に制御する
ことを特徴とする請求項３記載のプリント処理装置。
【請求項５】
前記ウォームアップ処理手段は、
前記判断情報が前記第２の用紙のプリント処理を示す場合、前記第１の定着器を第２の温度に制御するとともに、前記第２の定着器を第３の温度に制御する
ことを特徴とする請求項３記載のプリント処理装置。
【請求項６】
前記第２の温度は、
前記第１の温度より低温である
ことを特徴とする請求項３記載のプリント処理装置。
【請求項７】
前記判断情報としてプリント処理の指定を入力する入力手段
を更に具備し、
前記ウォームアップ処理手段は、
前記入力手段に入力されたプリント処理の指定に基づき、前記第１の定着器または前記第２の定着器の少なくとも１つのウォームアップ処理を開始する
ことを特徴とする請求項１記載のプリント処理装置。
【請求項８】
前記判断情報は、
手差しトレイに装填された用紙サイズであり、
前記ウォームアップ処理手段は、
前記用紙サイズに基づき、前記第１の定着器または前記第２の定着器の少なくとも１つのウォームアップ処理を開始する
ことを特徴とする請求項１記載のプリント処理装置。
【請求項９】
前記第１の用紙のプリント処理を示す判断情報は、
プラテンカバーのオープンの検出、自動両面原稿送り装置の原稿の設置の検出であり、
前記第２の用紙のプリント処理を示す判断情報は、
外部記憶装置の接続の検出、入力端子の接続の確立の検出である
ことを特徴とする請求項１記載のプリント処理装置。
【請求項１０】
ネットワークを介して接続するプリント依頼装置からのプリントデータのプリント処理を実施するプリント処理装置において、
第１の用紙、第２の用紙に対してトナーを定着する第１の定着器、第２の定着器と、
前記プリントデータを受信するプリントデータ受信手段と、
前記プリントデータ受信手段で受信したプリントデータに含まれる属性情報に基づき、前記第１の用紙のプリント処理であるか、前記第２の用紙のプリント処理であるかを解析する属性情報解析手段と、
前記属性情報解析手段の解析に基づき、前記第１の定着器または前記第２の定着器の少なくとも１つのウォームアップ処理を開始するウォームアップ処理手段と
を具備することを特徴とするプリント処理装置。
【請求項１１】
前記第１の用紙のプリント処理は、
前記第１の定着器または前記第２の定着器の少なくとも１つを用いて前記第１の用紙に対してトナーを定着し、
前記第２の用紙のプリント処理は、
前記第１の定着器または前記第２の定着器の少なくとも１つを用いて前記第２の用紙に対してトナーを定着する
ことを特徴とする請求項１０記載のプリント処理装置。
【請求項１２】
前記第１の用紙のプリント処理の場合、前記第１の定着器は第１の温度で前記第１の用紙に対してトナーを定着し、
前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着する
ことを特徴とする請求項１１記載のプリント処理装置。
【請求項１３】
前記ウォームアップ処理手段は、
前記判断情報が前記第１の用紙のプリント処理を示す場合、前記第１の定着器を第１の温度に制御する
ことを特徴とする請求項１２記載のプリント処理装置。
【請求項１４】
前記ウォームアップ処理手段は、
前記判断情報が前記第２の用紙のプリント処理を示す場合、前記第１の定着器を第２の温度に制御するとともに、前記第２の定着器を第３の温度に制御する
ことを特徴とする請求項１２記載のプリント処理装置。
【請求項１５】
前記第２の温度は、
前記第１の温度より低温である
ことを特徴とする請求項１２記載のプリント処理装置。
【請求項１６】
前記属性情報は、
給紙トレイ、紙質、用紙サイズである
ことを特徴とする請求項１０記載のプリント処理装置。
【請求項１７】
受け付けた画像データのプリント処理を実施するプリント処理装置のウォームアップ処理方法において、
第１の定着器、第２の定着器は、第１の用紙、第２の用紙に対してトナーを定着し、
前記画像データをプリント処理する際に、前記第１の用紙のプリント処理であるか、前記第２の用紙のプリント処理であるかの判断情報を判断情報検出手段により検出し、
該検出した判断情報に基づき、前記第１の定着器または前記第２の定着器の少なくとも１つのウォームアップ処理をウォームアップ処理手段により開始する
ことを特徴とするプリント処理装置のウォームアップ処理方法。
【請求項１８】
前記第１の用紙のプリント処理は、
前記第１の定着器または前記第２の定着器の少なくとも１つを用いて前記第１の用紙に対してトナーを定着し、
前記第２の用紙のプリント処理は、
前記第１の定着器または前記第２の定着器の少なくとも１つを用いて前記第２の用紙に対してトナーを定着する
ことを特徴とする請求項１７記載のプリント処理装置のウォームアップ処理方法。
【請求項１９】
前記第１の用紙のプリント処理の場合、前記第１の定着器は第１の温度で前記第１の用紙に対してトナーを定着し、
前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着する
ことを特徴とする請求項１８記載のプリント処理装置のウォームアップ処理方法。
【請求項２０】
前記ウォームアップ処理手段は、
前記判断情報が前記第１の用紙のプリント処理を示す場合、前記第１の定着器を第１の温度に制御する
ことを特徴とする請求項１９記載のプリント処理装置のウォームアップ処理方法。
【請求項２１】
前記ウォームアップ処理手段は、
前記判断情報が前記第２の用紙のプリント処理を示す場合、前記第１の定着器を第２の温度に制御するとともに、前記第２の定着器を第３の温度に制御する
ことを特徴とする請求項１９記載のプリント処理装置のウォームアップ処理方法。
【請求項２２】
前記第２の温度は、
前記第１の温度より低温である
ことを特徴とする請求項１９記載のプリント処理装置のウォームアップ処理方法。
【請求項２３】
前記ウォームアップ処理手段は、
入力手段により前記判断情報として入力されたプリント処理の指定に基づき、前記第１の定着器または前記第２の定着器の少なくとも１つのウォームアップ処理を開始する
ことを特徴とする請求項１７記載のプリント処理装置のウォームアップ処理方法。
【請求項２４】
前記判断情報は、
手差しトレイに装填された用紙サイズであり、
前記ウォームアップ処理手段は、
前記用紙サイズに基づき、前記第１の定着器または前記第２の定着器の少なくとも１つのウォームアップ処理を開始する
ことを特徴とする請求項１７記載のプリント処理装置のウォームアップ処理方法。
【請求項２５】
前記第１の用紙のプリント処理を示す判断情報は、
プラテンカバーのオープンの検出、自動両面原稿送り装置の原稿の設置の検出であり、
前記第２の用紙のプリント処理を示す判断情報は、
外部記憶装置の接続の検出、入力端子の接続の確立の検出である
ことを特徴とする請求項１７記載のプリント処理装置のウォームアップ処理方法。
【請求項２６】
ネットワークを介して接続するプリント依頼装置からのプリントデータのプリント処理を実施するプリント処理装置のウォームアップ処理方法において、
第１の定着器、第２の定着器は、第１の用紙、第２の用紙に対してトナーを定着し、
前記プリントデータをプリントデータ受信手段により受信し、
該受信したプリントデータに含まれる属性情報に基づき、前記第１の用紙のプリント処理であるか、前記第２の用紙のプリント処理であるかを属性情報解析手段により解析し、
前記解析に基づき、前記第１の定着器または前記第２の定着器の少なくとも１つのウォームアップ処理をウォームアップ処理手段により開始する
ことを特徴とするプリント処理装置のウォームアップ処理方法。
【請求項２７】
前記第１の用紙のプリント処理は、
前記第１の定着器または前記第２の定着器の少なくとも１つを用いて前記第１の用紙に対してトナーを定着し、
前記第２の用紙のプリント処理は、
前記第１の定着器または前記第２の定着器の少なくとも１つを用いて前記第２の用紙に対してトナーを定着する
ことを特徴とする請求項２６記載のプリント処理装置のウォームアップ処理方法。
【請求項２８】
前記第１の用紙のプリント処理の場合、前記第１の定着器は第１の温度で前記第１の用紙に対してトナーを定着し、
前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着する
ことを特徴とする請求項２７記載のプリント処理装置。
【請求項２９】
前記ウォームアップ処理手段は、
前記判断情報が前記第１の用紙のプリント処理を示す場合、前記第１の定着器を第１の温度に制御する
ことを特徴とする請求項２８記載のプリント処理装置。
【請求項３０】
前記ウォームアップ処理手段は、
前記判断情報が前記第２の用紙のプリント処理を示す場合、前記第１の定着器を第２の温度に制御するとともに、前記第２の定着器を第３の温度に制御する
ことを特徴とする請求項２８記載のプリント処理装置。
【請求項３１】
前記第２の温度は、
前記第１の温度より低温である
ことを特徴とする請求項２８記載のプリント処理装置。
【請求項３２】
前記属性情報は、
給紙トレイ、紙質、用紙サイズである
ことを特徴とする請求項２６記載のプリント処理装置。
【発明の詳細な説明】
【技術分野】
【０００１】
本発明は、プリント処理装置およびそのウォームアップ処理方法に関し、特に、プリント時にフューザーを加熱してトナーを定着させるプリント処理装置およびそのウォームアップ処理方法に関する。
【背景技術】
【０００２】
従来、プリント時にフューザーを加熱してトナーを定着させるプリント処理装置は、プリント要求を受け付けてからフューザー（定着器）を加熱する処理（以後、ウォームアップ処理と称する）を開始する。
【０００３】
ただし、ウォームアップ処理は時間を要すため、ＦＣＯＴ（First Copy Output Time：原稿をセットしてコピーを開始してから、最初のコピー用紙が出力されるまでの時間）、およびＦＰＯＴ（First Print Output Time：１枚目のデータを受信開始してから印刷を終え、最初の用紙が出力されるまでの時間）の短縮には限界があった。
【０００４】
上述した問題を解決するために、例えば、携帯端末が所定範囲内に近づいた際に、ウォームアップ処理を開始するプリンタがある（例えば、特許文献１参照。）。
【０００５】
また、例えば、人の接近を検知して低電力モードまたはスリープモードから待機状態に自動的に移行する画像形成装置がある（例えば、特許文献２参照。）。
【特許文献１】特開２００３−３９７８４号公報
【特許文献２】特開平１１−２０２６９０号公報
【発明の開示】
【発明が解決しようとする課題】
【０００６】
しかし、上記特許文献１に記載の技術、および上記特許文献２に記載の技術では、プリント処理装置にウォームアップ処理を実施する箇所が複数存在し、機能によってウォームアップ処理を実施すべき箇所が異なる場合には、ウォームアップ箇所を特定することが困難であるという問題がある。
【０００７】
そこで、本発明は、プリント要求時にただちにプリントを実行することが可能なプリント処理装置およびそのウォームアップ処理方法を提供することを目的とする。
【課題を解決するための手段】
【０００８】
上記目的を達成するため、請求項１の発明は、受け付けた画像データのプリント処理を実施するプリント処理装置において、第１の用紙、第２の用紙に対してトナーを定着する第１の定着器、第２の定着器と、前記画像データをプリント処理する際に、前記第１の用紙のプリント処理であるか、前記第２の用紙のプリント処理であるかの判断情報を検出する判断情報検出手段と、前記判断情報検出手段が検出した判断情報に基づき、前記第１の定着器または前記第２の定着器の少なくとも１つのウォームアップ処理を開始するウォームアップ処理手段とを具備することを特徴とする。
【０００９】
また、請求項２の発明は、請求項１の発明において、前記第１の用紙のプリント処理は、前記第１の定着器または前記第２の定着器の少なくとも１つを用いて前記第１の用紙に対してトナーを定着し、前記第２の用紙のプリント処理は、前記第１の定着器または前記第２の定着器の少なくとも１つを用いて前記第２の用紙に対してトナーを定着することを特徴とする。
【００１０】
また、請求項３の発明は、請求項２の発明において、前記第１の用紙のプリント処理の場合、前記第１の定着器は第１の温度で前記第１の用紙に対してトナーを定着し、前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着することを特徴とする。
【００１１】
また、請求項４の発明は、請求項３の発明において、前記ウォームアップ処理手段は、前記判断情報が前記第１の用紙のプリント処理を示す場合、前記第１の定着器を第１の温度に制御することを特徴とする。
【００１２】
また、請求項５の発明は、請求項３の発明において、前記ウォームアップ処理手段は、前記判断情報が前記第２の用紙のプリント処理を示す場合、前記第１の定着器を第２の温度に制御するとともに、前記第２の定着器を第３の温度に制御することを特徴とする。
【００１３】
また、請求項６の発明は、請求項３の発明において、前記第２の温度は、前記第１の温度より低温であることを特徴とする。
【００１４】
また、請求項７の発明は、請求項１の発明において、前記判断情報としてプリント処理の指定を入力する入力手段を更に具備し、前記ウォームアップ処理手段は、前記入力手段に入力されたプリント処理の指定に基づき、前記第１の定着器または前記第２の定着器の少なくとも１つのウォームアップ処理を開始することを特徴とする。
【００１５】
また、請求項８の発明は、請求項１の発明において、前記判断情報は、手差しトレイに装填された用紙サイズであり、前記ウォームアップ処理手段は、前記用紙サイズに基づき、前記第１の定着器または前記第２の定着器の少なくとも１つのウォームアップ処理を開始することを特徴とする。
【００１６】
また、請求項９の発明は、請求項１の発明において、前記第１の用紙のプリント処理を示す判断情報は、プラテンカバーのオープンの検出、自動両面原稿送り装置の原稿の設置の検出であり、前記第２の用紙のプリント処理を示す判断情報は、外部記憶装置の接続の検出、入力端子の接続の確立の検出であることを特徴とする。
【００１７】
また、請求項１０の発明は、ネットワークを介して接続するプリント依頼装置からのプリントデータのプリント処理を実施するプリント処理装置において、第１の用紙、第２の用紙に対してトナーを定着する第１の定着器、第２の定着器と、前記プリントデータを受信するプリントデータ受信手段と、前記プリントデータ受信手段で受信したプリントデータに含まれる属性情報に基づき、前記第１の用紙のプリント処理であるか、前記第２の用紙のプリント処理であるかを解析する属性情報解析手段と、前記属性情報解析手段の解析に基づき、前記第１の定着器または前記第２の定着器の少なくとも１つのウォームアップ処理を開始するウォームアップ処理手段とを具備することを特徴とする。
【００１８】
また、請求項１１の発明は、請求項１０の発明において、前記第１の用紙のプリント処理は、前記第１の定着器または前記第２の定着器の少なくとも１つを用いて前記第１の用紙に対してトナーを定着し、前記第２の用紙のプリント処理は、前記第１の定着器または前記第２の定着器の少なくとも１つを用いて前記第２の用紙に対してトナーを定着することを特徴とする。
【００１９】
また、請求項１２の発明は、請求項１１の発明において、前記第１の用紙のプリント処理の場合、前記第１の定着器は第１の温度で前記第１の用紙に対してトナーを定着し、前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着することを特徴とする。
【００２０】
また、請求項１３の発明は、請求項１２の発明において、前記ウォームアップ処理手段は、前記判断情報が前記第１の用紙のプリント処理を示す場合、前記第１の定着器を第１の温度に制御することを特徴とする。
【００２１】
また、請求項１４の発明は、請求項１２の発明において、前記ウォームアップ処理手段は、前記判断情報が前記第２の用紙のプリント処理を示す場合、前記第１の定着器を第２の温度に制御するとともに、前記第２の定着器を第３の温度に制御することを特徴とする。
【００２２】
また、請求項１５の発明は、請求項１２の発明において、前記第２の温度は、前記第１の温度より低温であることを特徴とする。
【００２３】
また、請求項１６の発明は、請求項１０の発明において、前記属性情報は、給紙トレイ、紙質、用紙サイズであることを特徴とする。
【００２４】
また、請求項１７の発明は、受け付けた画像データのプリント処理を実施するプリント処理装置のウォームアップ処理方法において、第１の定着器、第２の定着器は、第１の用紙、第２の用紙に対してトナーを定着し、前記画像データをプリント処理する際に、前記第１の用紙のプリント処理であるか、前記第２の用紙のプリント処理であるかの判断情報を判断情報検出手段により検出し、該検出した判断情報に基づき、前記第１の定着器または前記第２の定着器の少なくとも１つのウォームアップ処理をウォームアップ処理手段により開始することを特徴とする。
【００２５】
また、請求項１８の発明は、請求項１７の発明において、前記第１の用紙のプリント処理は、前記第１の定着器または前記第２の定着器の少なくとも１つを用いて前記第１の用紙に対してトナーを定着し、前記第２の用紙のプリント処理は、前記第１の定着器または前記第２の定着器の少なくとも１つを用いて前記第２の用紙に対してトナーを定着することを特徴とする。
【００２６】
また、請求項１９の発明は、請求項１８の発明において、前記第１の用紙のプリント処理の場合、前記第１の定着器は第１の温度で前記第１の用紙に対してトナーを定着し、前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着することを特徴とする。
【００２７】
また、請求項２０の発明は、請求項１９の発明において、前記ウォームアップ処理手段は、前記判断情報が前記第１の用紙のプリント処理を示す場合、前記第１の定着器を第１の温度に制御することを特徴とする。
【００２８】
また、請求項２１の発明は、請求項１９の発明において、前記ウォームアップ処理手段は、前記判断情報が前記第２の用紙のプリント処理を示す場合、前記第１の定着器を第２の温度に制御するとともに、前記第２の定着器を第３の温度に制御することを特徴とする。
【００２９】
また、請求項２２の発明は、請求項１９の発明において、前記第２の温度は、前記第１の温度より低温であることを特徴とする。
【００３０】
また、請求項２３の発明は、請求項１７の発明において、前記ウォームアップ処理手段は、入力手段により前記判断情報として入力されたプリント処理の指定に基づき、前記第１の定着器または前記第２の定着器の少なくとも１つのウォームアップ処理を開始することを特徴とする。
【００３１】
また、請求項２４の発明は、請求項１７の発明において、前記判断情報は、手差しトレイに装填された用紙サイズであり、前記ウォームアップ処理手段は、前記用紙サイズに基づき、前記第１の定着器または前記第２の定着器の少なくとも１つのウォームアップ処理を開始することを特徴とする。
【００３２】
また、請求項２５の発明は、請求項１７の発明において、前記第１の用紙のプリント処理を示す判断情報は、プラテンカバーのオープンの検出、自動両面原稿送り装置の原稿の設置の検出であり、前記第２の用紙のプリント処理を示す判断情報は、外部記憶装置の接続の検出、入力端子の接続の確立の検出であることを特徴とする。
【００３３】
また、請求項２６の発明は、ネットワークを介して接続するプリント依頼装置からのプリントデータのプリント処理を実施するプリント処理装置のウォームアップ処理方法において、第１の定着器、第２の定着器は、第１の用紙、第２の用紙に対してトナーを定着し、前記プリントデータをプリントデータ受信手段により受信し、該受信したプリントデータに含まれる属性情報に基づき、前記第１の用紙のプリント処理であるか、前記第２の用紙のプリント処理であるかを属性情報解析手段により解析し、前記解析に基づき、前記第１の定着器または前記第２の定着器の少なくとも１つのウォームアップ処理をウォームアップ処理手段により開始することを特徴とする。
【００３４】
また、請求項２７の発明は、請求項２６の発明において、前記第１の用紙のプリント処理は、前記第１の定着器または前記第２の定着器の少なくとも１つを用いて前記第１の用紙に対してトナーを定着し、前記第２の用紙のプリント処理は、前記第１の定着器または前記第２の定着器の少なくとも１つを用いて前記第２の用紙に対してトナーを定着することを特徴とする。
【００３５】
また、請求項２８の発明は、請求項２７の発明において、前記第１の用紙のプリント処理の場合、前記第１の定着器は第１の温度で前記第１の用紙に対してトナーを定着し、前記第２の用紙のプリント処理の場合、前記第１の定着器は第２の温度で前記第２の用紙に対してトナーを一次定着し、前記第２の定着器は第３の温度で該一次定着した第２の用紙に対してトナーを二次定着することを特徴とする。
【００３６】
また、請求項２９の発明は、請求項２８の発明において、前記ウォームアップ処理手段は、前記判断情報が前記第１の用紙のプリント処理を示す場合、前記第１の定着器を第１の温度に制御することを特徴とする。
【００３７】
また、請求項３０の発明は、請求項２８の発明において、前記ウォームアップ処理手段は、前記判断情報が前記第２の用紙のプリント処理を示す場合、前記第１の定着器を第２の温度に制御するとともに、前記第２の定着器を第３の温度に制御することを特徴とする。
【００３８】
また、請求項３１の発明は、請求項２８の発明において、前記第２の温度は、前記第１の温度より低温であることを特徴とする。
【００３９】
また、請求項３２の発明は、請求項２６の発明において、前記属性情報は、給紙トレイ、紙質、用紙サイズであることを特徴とする。
【発明の効果】
【００４０】
本発明によれば、プリント処理実施時にフューザーが十分暖まっているので、フューザーのウォームアップ処理を待機する必要が無くなるという効果を奏する。
【００４１】
また、本発明によれば、普通紙のプリント処理を実施する際に、２つのフューザーのウォームアップ処理を実施する必要が無いため、消費電力を削減することが可能になるという効果を奏する。
【発明を実施するための最良の形態】
【００４２】
以下、本発明に係るプリント処理装置およびそのウォームアップ方法の実施の形態について添付図面を参照して詳細に説明する。
【実施例１】
【００４３】
図１は、実施例１における本発明を適用したプリント処理装置１の機能的な構成を示すブロック図である。
【００４４】
図１に示すように、プリント処理装置１は、制御部２、入力指示部３、画像読取部４、記憶メディア挿入部５、プリント処理部６、複数のトリガ７ーを具備して構成される。
【００４５】
ここで、各構成部について説明する。
【００４６】
制御部２は、プリント処理装置１全体の制御処理を行い、機能として、各構成部が有するウォームアップ処理開始のトリガー７を検出するトリガー検出手段８を有する。なお、ウォームアップ処理開始のトリガー７については後述について説明する。
【００４７】
入力指示部３は、ユーザからのプリント処理要求およびプリント処理に対する各種設定を入力するためのものであり、ウォームアップ処理開始のトリガー７を有する。入力指示部３が有するトリガー７は、例えば、入力指示部に備えられた「普通紙プリント機能」、「フォト用紙プリント機能」の選択の入力である。
【００４８】
画像読取部４は、原稿を読み取るセンサ等を有し、原稿を読み取って画像データを入力する処理を行い、ウォームアップ処理開始のトリガ７ーを有する。画像読取部４が有するトリガー７は、例えば、プラテンカバーのオープンの検出である。
【００４９】
記憶メディア挿入部５は、画像データが記憶された記憶メディア（例えば、半導体メモリ、ＵＳＢメモリ、ＣＤ−ＲＯＭ等）と接続するものであり、ウォームアップ処理開始のトリガー７を有する。記憶メディア挿入部５が有するトリガー７は、例えば、記憶メディアの挿入の検出である。
【００５０】
プリント処理部６は、画像データの描画処理およびプリント処理を行い、普通紙のプリント処理に使用される普通紙用フューザー９と、フォト用紙のプリント処理に使用されるフォト用紙用フューザー１０とを有する。
【００５１】
なお、プリント処理装置１は、画像読取部４および記憶メディア挿入部５以外にも複数のトリガー７を有しており、これらのトリガー７は、例えば、自動両面原稿送り装置の原稿のセットの検出、プリント処理装置１が具備する入力端子（例えば、ＵＳＢ、赤外線等）の接続の確立の検出、手差しトレイに装填された用紙サイズの検出等である。
【００５２】
次に、プリント処理を実施する際にプリント処理装置１が行う機能的な動作について図１を参照して説明する。
【００５３】
入力指示部３によりユーザから「普通紙プリント機能」の選択が入力された場合、制御部２のトリガー検出手段８は「普通紙プリント機能」の選択が入力されたことを検出し、プリント処理部６に対して普通紙用フューザー９のウォームアップ処理の開始を指示し、入力指示部３によりユーザからプリント処理要求が入力されると、制御部２はプリント処理部６に対してプリント処理の開始を指示する。
【００５４】
また、入力指示部３によりユーザから「フォト用紙プリント機能」の選択が入力された場合、制御部２のトリガー検出手段８は「フォト用紙プリント機能」の選択が入力されたことを検出し、プリント処理部６に対して普通紙用フューザー９およびフォト用紙用フューザー１０のウォームアップ処理の開始を指示し、入力指示部３によりユーザからプリント処理要求が入力されると、制御部２はプリント処理部６に対してプリント処理の開始を指示する。
【００５５】
また、画像読取部４のプラテンカバーがオープンされた場合、制御部２のトリガー検出手段８はプラテンカバーがオープンされたことを検出し、プリント処理部６に対して普通紙用フューザー９のウォームアップ処理の開始を指示し、入力指示部３によりユーザからプリント処理要求が入力されると、制御部２はプリント処理部６に対してプリント処理の開始を指示する。
【００５６】
また、記憶メディア挿入部５に記憶メディアが挿入された場合、制御部２のトリガー検出手段８は記憶メディアが挿入されたことを検出し、プリント処理部６に対して普通紙用フューザー９およびフォト用紙用フューザー１０のウォームアップ処理の開始を指示し、入力指示部３によりユーザからプリント処理要求が入力されると、制御部２はプリント処理部６に対してプリント処理の開始を指示する。
【００５７】
従って、ユーザのプリント処理要求が入力される前に各フューザーのウォームアップ処理を開始しているので、待ち時間無しにプリント処理が実施される。
【００５８】
なお、自動両面原稿送り装置に原稿がセットされた場合は普通紙用フューザー９のウォームアップ処理を開始し、プリント処理装置１が具備する入力端子の接続が確立した場合は普通紙用フューザー９およびフォト用紙用フューザー１０のウォームアップ処理を開始し、手差しトレイに装填された用紙サイズが普通紙用サイズである場合は普通紙用フューザー９のウォームアップ処理を開始し、手差しトレイに装填された用紙サイズがフォト用紙用サイズである場合は普通紙用フューザー９およびフォト用紙用フューザー１０のウォームアップ処理を開始する。
【００５９】
次に、普通紙用フューザー９およびフォト用紙用フューザー１０について説明する。
【００６０】
図２は、普通紙用フューザー９およびフォト用紙用フューザー１０を説明する図である。
【００６１】
図２に示すように、普通紙のプリント処理時では、普通紙用フューザー９でトナーの定着を行い、用紙を排出し（図に示す点線の搬送経路）、フォト用紙のプリント処理時では、普通紙用フューザー９でトナーの一次定着を行い、用紙をフォト用紙用フューザー１０に搬送し、フォト用紙用フューザー１０でトナーの二次定着を行い、用紙を搬出する（図に示す実践の搬送経路）。
【００６２】
なお、上述した普通紙用フューザー９およびフォト用紙用フューザー１０の使用方法に限定する必要は無く、他の使用方法（例えば、フォト用紙は普通紙用フューザー９で一次定着を行わない等）でも適用可能である。
【００６３】
次に、普通紙用フューザー９およびフォト用紙用フューザー１０のウォームアップ処理について説明する。
【００６４】
図３は、プリント処理と、普通紙用フューザー９およびフォト用紙用フューザー１０の温度との関係を示す図である。
【００６５】
図３に示すように、待機時では、普通紙用フューザー９は待機時温度（低温）、フォト用紙用フューザー１０は待機時温度（低温）であり、普通紙のプリント処理時では、普通紙用フューザー９は稼動時温度（高温）、フォト用紙用フューザー１０は待機時温度（低温）であり、フォト用紙のプリント処理時では、普通紙用フューザー９は稼動時温度（中高温）、フォト用紙用フューザー１０は稼動時温度（高温）である。
【００６６】
従って、普通紙のプリント処理時では、普通紙用フューザー９の温度を高温にするウォームアップ処理を実施し、フォト用紙用フューザー１０のウォームアップ処理を実施する必要は無い。また、フォト用紙のプリント処理時では、普通紙用フューザー９の温度を中高温にするウォームアップ処理、およびフォト用紙用フューザー１０の温度を高温にするウォームアップ処理を実施する。
【００６７】
次に、プリント処理装置１が行うプリント処理の処理手順について図４に示すフローチャートを参照して説明する。
【００６８】
トリガーを検出した場合（ステップＳ４０１でＹＥＳ）、検出したトリガーを解析し（ステップＳ４０２）、解析結果がフォト用紙のプリント処理である場合（ステップＳ４０３でＮＯ）、ステップＳ４０４に進み、解析結果が普通紙のプリント処理である場合（ステップＳ４０３でＹＥＳ）、ステップＳ４０５に進む。
【００６９】
解析結果がフォト用紙のプリント処理である場合（ステップＳ４０３でＮＯ）、普通紙用フューザーおよびフォト用紙用フューザーのウォームアップ処理を開始し（ステップＳ４０４）、ステップＳ４０６に進む。
【００７０】
解析結果が普通紙のプリント処理である場合（ステップＳ４０３でＹＥＳ）、普通紙用フューザーのウォームアップ処理を開始し（ステップＳ４０５）、ステップＳ４０６に進む。
【００７１】
プリント要求を受け付けると（ステップＳ４０６でＹＥＳ）、プリント処理を実施し（ステップＳ４０７）、プリント処理の処理手順を終了する。
【実施例２】
【００７２】
図５は、実施例２における本発明を適用したプリント処理装置１の機能的な構成を示すブロック図である。
【００７３】
図５に示すように、プリント処理装置１と、プリント処理装置１に対してプリント処理を依頼する複数のプリント依頼装置１１とがネットワーク１２を介して接続している。
【００７４】
ここで、プリント処理装置１は、プリントデータ受信部１３、プリントデータ保存部１４、制御部１５、プリント処理部１６を具備して構成される。
【００７５】
ここで、プリント処理装置１の各構成部について説明する。
【００７６】
プリントデータ受信部１３は、ネットワーク１２と接続し、プリント依頼装置１１から送信されたプリントデータを受信する処理を行う。
【００７７】
プリントデータ保存部１４は、プリントデータ受信部１３が受信したプリントデータを一時保存する。
【００７８】
制御部１５は、プリント処理装置１全体の制御処理を行い、機能として、プリントデータに含まれるプリント属性を解析するプリント属性解析手段１７を有する。なお、プリント属性については後述について説明する。
【００７９】
プリント処理部１６は、プリントデータの描画処理およびプリント処理を行い、普通紙のプリント処理に使用される普通紙用フューザー１８と、フォト用紙のプリント処理に使用されるフォト用紙用フューザー１９とを有する。
【００８０】
次に、プリント処理を実施する際にプリント処理装置１が行う機能的な動作について図５を参照して説明する。
【００８１】
プリントデータ受信部１３がプリント依頼装置１１から送信されたプリントデータを受信すると、受信したプリントデータをプリントデータ保存部１４に一時保存し、制御部１５のプリント属性解析手段１７はプリントデータ保存部１４に一時保存されたプリントデータに含まれるプリント属性を読み出し、読み出したプリント属性を解析する。ここで、プリント属性はプリント処理に関する情報（例えば、「給紙トレイ」、「紙質」、「用紙サイズ」等）を示すので、プリント属性解析手段１７はプリント属性に基づき、このプリントデータが普通紙のプリント処理であるか、フォト用紙のプリント処理であるかを類推し、類推したプリント処理に応じたウォームアップ処理の開始をプリント処理部１６に指示する。
【００８２】
プリント属性解析部１７が普通紙のプリント処理であると類推した場合、プリント処理部１６に対して普通紙用フューザー１８のウォームアップ処理の開始を指示し、プリント処理部１６はプリントデータの描画処理が終了すると、プリント処理を開始する。
【００８３】
また、プリント属性解析部１７がフォト用紙のプリント処理であると類推した場合、プリント処理部１６に対して普通紙用フューザー１８およびフォト用紙用フューザー１９のウォームアップ処理の開始を指示し、プリント処理部１６はプリントデータの描画処理が終了すると、プリント処理を開始する。
【００８４】
従って、ユーザのプリント処理要求が入力される前に各フューザーのウォームアップ処理を開始しているので、待ち時間無しにプリント処理が実施される。
【００８５】
なお、普通紙用フューザー１８およびフォト用紙用フューザー１９は、実施例１と同様であるため説明は省略し、普通紙用フューザー１８およびフォト用紙用フューザー１９のウォームアップ処理も、実施例１と同様であるため説明は省略する。
【００８６】
次に、プリント処理装置１が行うプリント処理の処理手順について図６に示すフローチャートを参照して説明する。
【００８７】
プリント依頼装置からプリントデータを受け付けると（ステップＳ６０１でＹＥＳ）、受け付けたプリントデータに含まれるプリント属性を解析し（ステップＳ６０２）、解析結果がフォト用紙のプリント処理である場合（ステップＳ６０３でＮＯ）、ステップＳ６０４に進み、解析結果が普通紙のプリント処理である場合（ステップＳ６０３でＹＥＳ）、ステップＳ６０５に進む。
【００８８】
解析結果がフォト用紙のプリント処理である場合（ステップＳ６０３でＮＯ）、普通紙用フューザーおよびフォト用紙用フューザーのウォームアップ処理を開始し（ステップＳ６０４）、ステップＳ６０６に進む。
【００８９】
解析結果が普通紙のプリント処理である場合（ステップＳ６０３でＹＥＳ）、普通紙用フューザーのウォームアップ処理を開始し（ステップＳ６０５）、ステップＳ６０６に進む。
【００９０】
プリント処理を実施し（ステップＳ６０６）、プリント処理の処理手順を終了する。
【図面の簡単な説明】
【００９１】
【図１】実施例１における本発明を適用したプリント処理装置１の機能的な構成を示すブロック図である。
【図２】普通紙用フューザー９およびフォト用紙用フューザーを１０説明する図である。
【図３】プリント処理と、普通紙用フューザー９およびフォト用紙用フューザー１０の温度との関係を示す図である。
【図４】プリント処理装置１が行うプリント処理の処理手順を示すフローチャートである。
【図５】実施例２における本発明を適用したプリント処理装置１の機能的な構成を示すブロック図である。
【図６】プリント処理装置１が行うプリント処理の処理手順を示すフローチャートである。
【符号の説明】
【００９２】
１    プリント処理装置
２    制御部
３    入力指示部
４    画像読取部
５    記憶メディア挿入部
６    プリント処理部
７    トリガー
８    トリガー検出手段
９    普通紙用フューザー
１０    フォト用紙用フューザー
１１    プリント依頼装置
１２    ネットワーク
１３    プリントデータ受信部
１４    プリントデータ保存部
１５    制御部
１６    プリント処理部
１７    プリント属性解析手段
１８    普通紙用フューザー
１９    フォト用紙用フューザー
【図１】
2006071756.tif 000003
【図２】
2006071756.tif 000004
【図３】
2006071756.tif 000005
【図４】
2006071756.tif 000006
【図５】
2006071756.tif 000007
【図６】
2006071756.tif 000008